(57)【要約】【課題】紛失又は盗難にあった無線携帯端末装置のアプリケーションを、電波状態が不安定な場合においても、遠隔操作によってロックする方法を提供する。【解決手段】携帯電話１８の正規使用者は、紛失または盗難にあったことに気付くと情報端末１３または他の携帯電話１１、１２等の端末から、ネットワーク１５中の携帯電話キャリア会社のＷｅｂサイトへアクセスして、端末情報を画面にて入力することでネットワークに登録をする。サーバ１６は、ネットワークから受け取ったその端末情報から特定ＩＭＥＩを割り出し、その特定ＩＭＥＩをネットワーク１５に登録する。ネットワーク１５は、登録された特定ＩＭＥＩと携帯電話１８から通信により取得したＩＭＥＩとを比較し、携帯電話１８に対して基地局１７を介してＩＭＥＩの照合結果を送信する。携帯電話１８は、受信した照合結果が一致であれば予め定めたアプリケーションをロックする。【選択図】図1
2006222728.tif 000002
【特許請求の範囲】
【請求項１】
無線携帯端末装置と、前記無線携帯端末装置と無線接続される基地局装置とからなる、少なくとも一つのネットワークにおいて、アプリケーションのロックを行う特定無線携帯端末装置の固有情報を前記ネットワークに登録するステップと、前記ネットワークが前記無線携帯端末装置と前記基地局装置の間で行われるセルを特定する通信によって前記基地局装置経由で前記無線携帯端末装置の固有情報を取得するステップと、前記無線携帯端末装置より得られる無線携帯端末装置の固有情報と前記登録された特定無線携帯端末装置の固有情報を照合するステップと、前記固有情報の照合結果を無線携帯端末装置に送信するステップと、前記無線携帯端末装置は前記送信された照合結果を受信し照合結果に基づいて予め定めたアプリケーションをロックするステップとを有することを特徴とする無線携帯端末装置のアプリケーションをロックする方法。
【請求項２】
複数の無線携帯端末装置と、前記複数の無線携帯端末装置と無線接続される複数の基地局装置と、無線携帯端末装置と基地局装置の情報を有するサーバと、情報端末とからなる、少なくとも一つのネットワークにおいて、前記ネットワークが前記無線携帯端末装置と前記基地局装置の間で行われるセルを特定する通信によって前記基地局装置経由で前記通信を行った無線携帯端末装置の固有情報を取得するステップと、前記情報端末若しくは前記複数の無線携帯端末装置の何れかよりアプリケーションをロックする特定無線携帯端末装置の正規使用者等の端末情報を入力するステップと、前記入力された端末情報を用いて前記サーバの情報から特定無線携帯端末装置の固有情報を探索してネットワークに登録するステップと、前記通信を行った無線携帯端末装置より得られる無線携帯端末装置の固有情報と前記登録された特定無線携帯端末装置の固有情報を照合するステップと、前記固有情報の照合結果を無線携帯端末装置に送信するステップと、前記無線携帯端末装置は前記送信された固有情報の照合結果を受信し照合結果に基づいて予め定めたアプリケーションのロックをするステップを有することを特徴とする無線携帯端末装置のアプリケーションをロックする方法。
【請求項３】
圏外状態が継続する時間を計測するステップと、前記圏外状態が継続する時間との比較に用いる時間を予め設定するステップと、前記計測した圏外状態が継続する時間と前記予め設定した時間を比較するステップと、前記比較結果において前記計測した圏外が継続する時間が前記予め設定した時間より長いときに予め定めたアプリケーションをロックするステップを有することを特徴とする無線携帯端末装置のアプリケーションをロックする方法。
【請求項４】
請求項３の圏外状態が継続する時間が予め設定した時間以上で予め定めたアプリケーションをロックした無線携帯端末装置において、通信が可能となった場合に、前記ネットワークは前記アプリケーションをロックした無線携帯端末装置と前記基地局装置の間で行われるセルを特定する通信によって前記基地局装置経由で前記アプリケーションをロックした無線携帯端末装置の固有情報を取得するステップと、前記取得した固有情報と予め登録されたアプリケーションのロックを行うべき特定無線携帯端末装置の固有情報とを照合するステップと、前記照合結果を前記アプリケーションをロックした無線携帯端末装置に送信するステップと、前記無線携帯端末装置は前記送信された照合結果を受信し照合結果に基づいてアプリケーションのロックを解除するステップを有することを特徴とする無線携帯端末装置のアプリケーションのロックを解除する方法。
【請求項５】
無線携帯端末装置と、前記無線携帯端末装置と無線接続される基地局装置とからなる、少なくとも一つのネットワークシステムにおいて、前記ネットワークシステムが前記無線携帯端末装置と前記基地局装置の間で行われるセルを特定する通信によって前記基地局装置経由で前記無線携帯端末装置の固有情報を取得する手段と、アプリケーションのロックを行う特定無線携帯端末装置の固有情報を前記ネットワークシステムに予め登録する手段と、前記無線携帯端末装置より得られる無線携帯端末装置の固有情報と前記予め登録された特定無線携帯端末装置の固有情報を照合する手段と、前記固有情報の照合結果を無線携帯端末装置に送信する手段と、前記無線携帯端末装置は前記送信された照合結果を受信し照合結果に基づいて予め定めたアプリケーションをロックする手段を有することを特徴とするネットワークシステム。
【請求項６】
複数の無線携帯端末装置と、前記複数の無線携帯端末装置と無線接続される複数の基地局装置と、無線携帯端末装置と基地局装置の情報を有するサーバと、情報端末とからなる、少なくとも一つのネットワークシステムにおいて、前記ネットワークシステムが前記無線携帯端末装置と前記基地局装置の間で行われるセルを特定する通信によって前記基地局装置経由で前記通信を行った無線携帯端末装置の固有情報を取得する手段と、前記情報端末若しくは前記複数の無線携帯端末装置の何れかよりアプリケーションをロックする特定無線携帯端末装置の正規使用者等の端末情報を入力する手段と、前記入力された端末情報を用いて前記サーバの情報から特定無線携帯端末装置の固有情報を探索してネットワークシステムに登録する手段と、前記通信を行った無線携帯端末装置より得られる無線携帯端末装置の固有情報と前記登録された特定無線携帯端末装置の固有情報を照合する手段と、前記固有情報の照合結果を無線携帯端末装置に送信する手段と、前記無線携帯端末装置は前記送信された固有情報の照合結果を受信し照合結果に基づいて予め定めたアプリケーションのロックをする手段を有することを特徴とするネットワークシステム。
【請求項７】
無線携帯端末装置において、基地局装置に自己の固有情報を送信し、且つ、予め登録されているアプリケーションをロックする特定無線携帯端末装置の固有情報と前記送信された自己の固有情報との照合結果を前記基地局装置から受信する無線通信部を有し、前記取得した照合結果に基づいてアプリケーションをロックする制御部を有することを特徴とする無線携帯端末装置。
【請求項８】
基地局装置から送信される情報に基づいてアプリケーションをロックすることが可能な無線携帯端末装置から前記無線携帯端末装置の固有情報を受信する無線受信部と、取得した前記無線携帯端末装置の固有情報をネットワークに通知し、且つ、前記通信によって無線携帯端末装置から取得した前記固有情報と予めネットワークに登録されたアプリケーションをロックする特定無線携帯端末装置の固有情報との照合結果をネットワークから取得する通信部と、前記照合結果を前記無線携帯端末装置に送信する無線送信部を有することを特徴とする基地局装置。
【請求項９】
圏外状態が継続する時間を計測し、前記圏外状態が継続する時間との比較に用いる時間を予め設定し、前期計測した圏外状態が継続する時間と前期予め設定した時間を比較し、前記比較結果において前記計測した圏外が継続する時間が前記予め設定した時間より長いときに予め定めたアプリケーションをロックする制御部を有することを特徴とする無線携帯端末装置。
【請求項１０】
請求項９の圏外状態が継続する時間が予め設定した時間以上で予め定めたアプリケーションをロックした無線携帯端末装置を含む請求項５又は請求項６のネットワークシステムにおいて、通信が可能となった場合に、前記ネットワークシステムは前記アプリケーションをロックした無線携帯端末装置と前記基地局装置の間で行われるセルを特定する通信により前記基地局装置から前記アプリケーションシステムをロックした無線携帯端末装置の固有情報を取得する手段と、前記取得した固有情報と予め登録されたアプリケーションをロックする特定無線携帯端末装置の固有情報とを照合する手段と、前記照合結果を前記アプリケーションをロックした無線携帯端末装置に送信する手段と、前記無線携帯端末装置は前記送信された照合結果を受信し照合結果に基づいてアプリケーションのロックを解除する手段を有することを特徴とするネットワークシステム。
【請求項１１】
基地局装置に固有情報を送信し、且つ、アプリケーションをロックする特定無線携帯端末装置の固有情報と前記送信された固有情報との照合結果を基地局装置から受信する無線通信部を有し、アプリケーションをロックした状態で、前記取得した照合結果に基づいてアプリケーションのロックを解除する制御部を有することを特徴とする無線携帯端末装置。
【発明の詳細な説明】
【技術分野】
【０００１】
本発明は携帯電話等の無線移動通信技術分野において無線携帯端末装置の固有情報を使用した遠隔操作によりアプリケーションをロックする、あるいはロックを解除するというロック方法及び無線携帯端末装置及び無線携帯端末装置を含むネットワークシステムに関する。
【背景技術】
【０００２】
近年、無線携帯端末装置、特に携帯電話においては、電話機能だけでなく、電話帳、ｅ−ｍａｉｌ、等の個人データに関わる様々なアプリケーションが搭載されている。しかし、その多様性の広がりとともに、紛失又は盗難にあった際などにおいて第三者による不正使用による金額的被害だけでなく、個人データの取得、その取得したデータの悪用が行われ、正規の使用者等が被害を被ることが問題となっている。
【０００３】
そこで、無線携帯端末装置が紛失又は盗難にあった際に、正規の使用者等が遠隔地からの操作によって当該無線携帯端末装置に対してキーロック、発信先の制限、個人データの閲覧禁止等のアプリケーションのロックを行うことでセキュリティの保持を可能とする方法が提案されている。一例として、ショートメッセージサービス（Ｓｈｏｒｔ  Ｍｅｓｓｅａｇｅ  Ｓｅｒｖｉｃｅ：以下ＳＭＳと略す。）を介して遠隔操作により正規使用者等が保護状態に設定し、当該無線携帯端末装置を取得した第三者が無線携帯端末装置に対して誤った保護コードを入力すると無線携帯端末装置の動作を制限し、表示画面上に所有者の連絡情報を表示し、1つの特定番号にのみ発信が可能な保護状態に設定し、その位置および使用情報をＳＭＳを介して特定番号に送る手法である（例えば特許文献１参照）。
【０００４】
しかし、ＳＭＳを送受信するためには、無線携帯端末装置とネットワークの間に無線接続を確立して、無線携帯端末装置がＳＭＳを受信可能な待ち受け状態に入っておく必要がある。
【０００５】
図１０に従来の無線携帯端末装置とネットワークの無線接続の確立に関する処理シーケンスの概略図を示す。図１０では無線携帯端末装置とネットワークの処理シーケンスのうち、圏外から待ち受け状態に移行しＳＭＳを受信するまでについて示している。図１０の左側が無線携帯端末装置、右側がネットワークであり、図１０の上から下方向に時間軸を取り処理が進行する事を示している。電源ＯＮ１００１の後、起動シーケンス１００２により無線携帯端末装置の起動処理を行う。この起動シーケンス１００２の終了時点から後で説明する待ち受け状態１０１１の前までが、無線接続が確立できていない圏外状態である。まず、無線携帯端末装置から待ち受けをするチャネルの周波数確認を行うためのバンドサーチ要求１００３がネットワークに対して送信され、その応答としてバンドサーチ応答１００４がネットワークから無線携帯端末装置に対して送信される。次に、無線携帯端末装置からバンドサーチ要求１００３のよりも詳細情報である端末の加入している携帯電話キャリア会社の周波数情報等を要求する報知情報取得要求１００５がネットワークに対して送信され、その応答として報知情報取得応答１００６がネットワークから無線携帯端末装置に対して送信される。さらに、無線携帯端末装置とネットワークの間で通信を行う無線エリアであるセルを選択するための情報を要求するセルセレクション要求１００７に対するセルセレクション応答１００８、位置登録要求１００９に対する位置登録応答１０１０、のメッセージがやり取りされる。これらのメッセージのやり取りが正常に行われることによって、無線携帯端末装置とネットワークの間の無線接続が確立され、無線携帯端末装置は、待ち受け状態１０１１となる。
【０００６】
待ち受け状態１０１１以降は圏内状態であり、ＳＭＳ着信等が可能となる。ＳＭＳ通信を行うには、ページング（着信通知）１０１２がネットワークから無線携帯端末装置に送信され、その応答としてページング応答１０１３が無線携帯端末装置からネットワークに送信される。次に、無線携帯端末装置はネットワークから実際のＳＭＳのデータをデータ受信１０１４にて受信し、ネットワークに対してデータ受信応答１０１５を送信する処理を行う。なお図１０のメッセージは代表的なメッセージを説明のために一例として記載したものである。また、図１０においては、無線携帯端末装置とネットワークの間にある無線基地局装置は、本発明を説明するためには必要ないので記載を省略し、無線携帯端末装置とネットワーク間の接続として図を記述している。
【０００７】
また、無線携帯端末装置とネットワークは無線通信による接続である。電波状態が悪い場合には接続が維持できなくなると、待ち受け状態１０１１からバンドサーチ要求１００３に戻り、バンドサーチ要求１００３から位置登録要求１０１０の接続の確立の為の処理を再度やり直す必要がある。
【特許文献１】特開２００２−７７３７２号公報（第５ページ）
【発明の開示】
【発明が解決しようとする課題】
【０００８】
しかしながら従来のＳＭＳの送受信による遠隔操作によるロック方法では、無線携帯端末装置はＳＭＳの着信によってアプリケーションのロックを行う保護状態に移行する設定を行うため、ＳＭＳの送受信を行うことができる待ち受け状態で安定している必要がある。仮に、電波状態が待ち受け状態を保てない程度に悪い若しくは圏外状態と待ち受け状態を繰り返す程度に不安定な場合には、ＳＭＳの着信が行われない若しくは遅延することが発生し、遠隔操作が不可能若しくは迅速に行えない場合が発生するといった問題があった。
【０００９】
本発明は、従来の問題を解決するためになされたもので、電波状態が不安定な場合においても、無線携帯端末装置が通信を行うべきセルを特定するまで通信を行うことができれば、正規の使用者等が遠隔操作にてロック等の操作制限の登録を行うことによりネットワークに紛失又は盗難にあった無線携帯端末装置の固有情報が登録され、通信により取得した無線携帯端末装置の固有情報とを照合し、固有情報の照合結果に基づいて通信を行った無線携帯端末装置とアプリケーションのロックを行うべき無線携帯端末装置の一致を確認し、その通信を行った無線携帯端末装置に対して遠隔操作によるアプリケーションロックをすることができる方法及び無線携帯端末装置及び無線携帯端末装置を含むネットワークシステムを提供することを目的とする。
【課題を解決するための手段】
【００１０】
前記従来の課題を解決するために、本発明の無線携帯端末装置の固有情報を使用した遠隔操作によるアプリケーションのロック方法は、無線携帯端末装置と、無線携帯端末装置と無線接続される基地局装置とを含むネットワークにおいて、紛失又は盗難にあった特定無線携帯端末装置の固有情報を正規使用者等がパーソナルコンピュータ等の情報端末又は他の携帯無線端末装置からネットワークに登録するステップと、無線携帯端末装置がセルを特定する通信を行った際にネットワークが当該携帯無線端末装置の固有情報を取得するステップと、ネットワークはサーバによって登録された特定無線携帯端末装置の固有情報と通信により取得した無線携帯端末装置の固有情報を照合するステップと、ネットワークは固有情報の照合結果を無線携帯端末装置に送信するステップと、無線携帯端末装置は固有情報の照合結果をネットワークから受信し、無線携帯端末装置は照合結果に基づいて自己がアプリケーションをロックすべき無線携帯端末装置であることを確認すると予め定めたアプリケーションをロックするステップを有する構成を採る。
【００１１】
本構成によって、ネットワークは、待ち受け状態に移行する前の状態であるセルを特定する通信にて無線携帯端末装置の固有情報を取得して、正規使用者等により登録された予め定めたアプリケーションをロックすべき紛失又は盗難にあった特定無線携帯端末装置の固有情報との照合を行い、照合の結果を無線携帯端末装置に対して送信し、無線携帯端末装置はネットワークから送信された固有情報の照合結果に基づいて自己がアプリケーションをロックすべき無線携帯端末装置であることを確認すると、予め定めたアプリケーションをロックする。よって、待ち受け状態に移行する前の通信にて取得する固有情報によりアプリケーションのロックを行うべき無線携帯端末装置の特定と、アプリケーションのロックの要件となる照合結果の送信を行える。つまり、アプリケーションをロックするまでの無線通信で送受信するメッージを少なくすることができる。送受信するメッセージの数が少なければ、電波状態が不安定な場合でも通信が成功する確率は高い。よって、電波状態が不安定な場合でも無線携帯端末装置の固有情報の照合を行い、その結果を無線携帯端末装置に通知でき、迅速にアプリケーションのロックを行うことができる。
【００１２】
また、特に本発明の無線携帯端末装置の固有情報を使用した遠隔操作によるアプリケーションのロック方法におけるネットワークは、無線携帯端末装置と基地局装置の情報を有するサーバと、パーソナルコンピュータ等の情報端末を有し、紛失又は盗難にあった特定無線携帯端末装置の固有情報をネットワークに登録するステップにおいて、情報端末又は他の無線携帯端末装置よりアプリケーションをロックする特定無線携帯端末装置の端末情報を入力するステップと、入力された端末情報によってサーバのデータベースから特定無線携帯端末装置の固有情報を割り出しネットワークに登録するステップを有する構成である。
【００１３】
本構成によって、アプリケーションのロックを行うための端末情報の入力に際し、情報端末又は他の無線携帯端末装置から正規の使用者等によって端末情報が入力され、ネットワークは入力された端末情報を用いてサーバの情報からアプリケーションのロックを行うべき無線携帯端末装置の固有情報を割り出すことができ、正確な情報によって固有情報の特定が行える。
【００１４】
また、特に本発明の無線携帯端末装置の固有情報を使用した遠隔操作によるアプリケーションのロック方法における無線携帯端末装置は、通信を行うことができない圏外状態が継続する時間を計測するステップと、圏外状態が継続する時間との照合に用いる時間を予め設定するステップと、圏外状態が継続する時間と予め設定した時間とを照合するステップとを有し、圏外状態の継続時間が予め定めた時間以上になるかどうかを監視する。圏外状態が継続する時間が予め設定した時間より長くなると、予め定めたアプリケーションをロックするステップを有する構成である。
【００１５】
本構成によって、圏外状態が継続した場合にアプリケーションをロックする時間を予め設定しておくことで、電波が届かない状態で遠隔操作が行えない場合であっても確実にアプリケーションをロックすることができる。
【００１６】
また、特に本発明の無線携帯端末装置の固有情報を利用した遠隔操作によるアプリケーションのロック方法におけるネットワークは、圏外状態が継続してアプリケーションのロック状態となった無線携帯端末装置が、移動をする等して通信を行える状態となりセルを特定する通信を行った際にネットワークが無線携帯端末装置の固有情報を取得するステップと、ネットワークはサーバに登録されたアプリケーションをロックすべき特定無線携帯端末装置の固有情報と通信により取得した無線携帯端末装置の固有情報を照合するステップと、ネットワークは固有情報の照合結果を無線携帯端末装置に送信するステップと、無線携帯端末装置は照合の結果をネットワークから受信し、照合結果から自己がアプリケーションをロックすべき無線携帯端末装置と同一でないことを確認するとアプリケーションのロックを解除するステップを有する構成である。
【００１７】
本構成によって、電波が届かない状態でアプリケーションをロックする状態となっても、無線携帯端末装置が移動する等して通信が行える状態となった場合には、ネットワークは通信を行った無線端末装置の固有情報とネットワークに登録されたアプリケーションをロックすべき特定無線携帯端末装置の固有情報とを照合し、通信を行った無線携帯端末装置はネットワークの照合結果に基づいて、自己がアプリケーションをロックすべき無線携帯端末装置と一致しないことを確認して、速やかにアプリケーションのロックを解除することができる。
【発明の効果】
【００１８】
本発明によれば、電波状態が不安定で待ち受け状態を安定して保持できない場合であっても、待ち受け状態に移行する前のセルを特定する通信にて無線携帯端末装置の固有情報を取得して、正規使用者等が情報端末又は他の無線携帯端末装置にて登録した端末情報から割り出した固有情報の照合を行い、照合結果を無線携帯端末装置に通知することにより、紛失又は盗難にあった無線携帯端末装置のアプリケーションにロックをかけセキュリティを保つことができる。
【００１９】
また、電波状態が悪くネットワークと無線接続を確立できない圏外の場合でも、その圏外状態が予め定めた時間以上継続した場合にはアプリケーションにロックをかけることによりセキュリティを保つことができる。
【発明を実施するための最良の形態】
【００２０】
以下に本発明を実施するための最良の形態の無線携帯端末装置の固有情報を使用した遠隔操作によるアプリケーションのロック方法及び無線携帯端末装置及びネットワークシステムについて、図面を用いて説明する。実施の形態については無線移動通信システムの一例として、携帯電話システムについて説明をし、無線携帯端末装置は携帯電話とする。
【００２１】
（実施の形態１）
図１に本発明の実施の形態１の携帯電話の固有情報を使用した遠隔操作によるアプリケーションのロック方法及び携帯電話及びネットワークを説明するシステムを示す。図１において、ネットワーク１５は、無線基地局１４と１７、一般のパーソナルコンピュータ等の情報端末１３、携帯電話キャリア会社のサーバ１６が接続されており、Ｗｅｂサイトを含んだネットワークを形成している。サーバ１６は、携帯電話キャリア会社の携帯電話と基地局のデータを有し、正規使用者により登録された端末情報により固有情報（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ：以下ＩＭＥＩと略す。）を割り出すこと等ができる。無線基地局１４は複数の携帯電話１１、１２に無線接続しており、無線基地局１７は紛失または盗難にあった携帯電話機１８と無線接続されている。  また、無線基地局１７は、無線基地局１４や情報端末１３からは遠隔地に配置されている。
【００２２】
紛失または盗難にあった携帯電話１８の正規使用者は、紛失または盗難にあったことに気付くと情報端末１３または他の携帯電話１１若しくは１２等の端末から、ネットワーク１５中の携帯電話キャリア会社で用意したＷｅｂサイトへアクセスして、端末情報をネットワーク１５に登録する。
【００２３】
図２は本発明の実施の形態１の携帯電話キャリア会社で用意したＷｅｂサイトへアクセスした時の、アプリケーションにロックをかけるために端末情報を入力するための画面の一例である。正規の使用者は、紛失または盗難にあった携帯電話１８のアプリケーションにロックを掛ける場合には、図２の画面にて契約者氏名２０１と端末番号２０２と端末暗証番号２０３の端末情報を入力し、ネットワーク１５へ登録を行う。
【００２４】
サーバ１６は、ネットワーク１５から受け取ったその端末情報から特定ＩＭＥＩを割り出し、ネットワーク１５に特定ＩＭＥＩを登録する。次に、ネットワーク１５は、無線接続されている紛失または盗難にあった携帯電話１８からＩＭＥＩを取得し、登録されている特定ＩＭＥＩと携帯電話１８から取得したＩＭＥＩと照合し、携帯電話１８に対してアプリケーションのロックをするために基地局１７を介してＩＭＥＩの照合結果を送信する構成となっている。
【００２５】
図３に本発明の実施の形態１の携帯電話キャリア会社で用意したＷｅｂサイトからアプリケーションにロックを掛ける携帯電話の端末情報が登録された際のネットワークの処理フロー図を示す。図３では、図２の画面でアプリケーションのロックをかける携帯電話１８の端末情報が登録された時のネットワーク１５の処理フローを説明する。まず、正規使用者が図２のＷｅｂサイト上の画面にて端末情報を入力し、記入事項と暗証番号が一致しない等の問題がなければ、入力された端末情報はネットワーク１５に登録される（Ｓ３１）。ネットワーク１５は、登録された端末情報を携帯電話１８が契約している携帯電話キャリア会社のサーバ１６に送信する（Ｓ３２）。サーバ１６には予め携帯電話１８の端末情報とＩＭＥＩが関連付けて保持されている。サーバ１６は、ネットワークから送信された端末情報とサーバ１６が保持する契約者の登録データ等から特定ＩＭＥＩを割り出し（Ｓ３３）、割り出した特定ＩＭＥＩをネットワーク１５へ送信し、ネットワーク１５は送信された特定ＩＭＥＩを保持する（Ｓ３４）。この特定ＩＭＥＩはアプリケーションのロックをかける携帯電話１８のＩＭＥＩである。
【００２６】
図４に本発明実施の形態１の携帯電話の固有情報を使用した遠隔操作によるアプリケーションのロック方法のフロー図を示す。図４は、サーバ１６から取得したアプリケーションをロックする携帯電話のＩＭＥＩと、基地局１７を経由して通信により取得した携帯電話１８のＩＭＥＩとの照合を行い、照合結果を携帯電話１８に通知して、携帯電話１８が照合結果の一致を受信することによってアプリケーションのロックを掛けるフローを示している。
【００２７】
図４にて、まず、携帯電話１８は基地局１７と無線通信を行うために、無線を捕捉し（Ｓ４１）、基地局１７と通信を行った際にＩＭＥＩをネットワーク１５へ通知する（Ｓ４２）。ネットワーク１５は、携帯電話１８との通信によって取得したＩＭＥＩとサーバ１６にて割り出された特定ＩＭＥＩと照合し（Ｓ４３）、携帯電話１８へ照合結果を応答する。一致するＩＭＥＩが存在すれば（Ｓ４４）、ネットワーク１５は携帯電話１８へＩＭＥＩが一致した旨の照合結果を通知し（Ｓ４５）、携帯電話１８は予め定めたアプリケーションに対してロックをかける（Ｓ４６）。一致するＩＭＥＩがなければ（Ｓ４４）、ネットワーク１５は携帯電話１８へＩＭＥＩが一致しなかった旨の照合結果を通知し（Ｓ４７）、携帯電話１８においては通常の処理を行う（Ｓ４８）。この通常処理には、ステップ４８に移行した段階で既にアプリケーションのロックがされている状態であればアプリケーションのロックを解除した後で、アプリケーションがロックされていなければ特に解除処理は行わないで、通常処理を行う両方の場合を含む。解除処理は、正規使用者が携帯電話を紛失した場合等に図２の画面においてアプリケーションのロック操作を行った後、携帯電話が見つかった場合等に、図２の画面において登録時と同等の入力を行い解除を登録することで行う。
【００２８】
また、本発明中で用いる固有情報の照合結果の一致は、予め登録されたアプリケーションをロックする無線携帯端末装置と無線通信により固有情報を通知した無線携帯端末装置が同一であるかを特定するための一致であり、固有情報の一致として、完全一致または部分一致のどちらかに固定するものでは無い。
【００２９】
図５に本発明の実施の形態１の携帯電話の固有情報を使用したアプリケーションのロック方法の携帯電話とネットワーク間の処理シーケンスの概略図を示す。特に、図５は、ステップ４２にて携帯電話１８がＩＭＥＩをネットワーク１５へ通知する際の、携帯電話１８と基地局１７を介したネットワーク１５との通信のシーケンス図を示している。携帯電話１８が電源をＯＮ５０１し、起動シーケンス５０２にて起動処理を行う。ここから、無線接続確立のための処理を開始し、携帯電話１８は、バンドサーチ要求５０３をネットワーク１５に対して送信し、ネットワークからのバンドサーチ応答５０４を受信して受信するチャネルの周波数の特定を行う。次に、携帯電話１８は、報知情報取得要求５０５をネットワークに対して送信し、その応答として報知情報取得応答５０６を受信する。ここで、報知情報取得要求５０５は、バンドサーチ要求５０３よりも詳細な情報を要求するものであり、携帯電話１８の契約している携帯電話キャリア会社の周波数情報等を要求する。つまり、バンドサーチ要求５０３と応答５０４においては、ネットワーク１５と携帯電話１８の個別情報を扱う通信を行わないが、報知情報取得要求５０５と応答５０６においてはネットワーク１５と携帯電話１８の個別情報を扱う通信を行う。そこで、本発明の特徴として、報知情報取得要求５０５に携帯電話１８の個別情報であるＩＭＥＩを付加してネットワークに通知し、その応答である報知情報取得応答５０６にてネットワーク１５が行ったＩＭＥＩの照合結果をネットワーク１５から携帯電話１８に対して通知する構成とした。
【００３０】
図４と図５の動作をまとめると、携帯電話１８は、ステップ４２の処理である自己のＩＭＥＩを付加した報知情報取得要求５０５の送信をネットワーク１５に対して行う。次に、ネットワーク１５は、ステップ４５またはステップ４７の処理であるＩＭＥＩ照合結果を付加した報知情報取得応答５０６の送信を携帯電話１８に対して行う。携帯電話１８は、報知情報取得応答５０６を受信しＩＭＥＩの照合結果に基づいてアプリケーションのロックを行う。よって、本発明では、携帯電話１８がアプリケーションのロックを掛けるには図５における報知情報取得応答５０６までの通信が成立すればよいことになる。
【００３１】
その後、携帯電話１８が待ち受け状態５１１となるには、受信する無線エリアを特定するため、セルセレクション要求５０７、セルセレクション応答５０８を行い、携帯電話１８の位置をネットワークに対して登録するため位置登録要求５０９、位置登録応答５１０の通信を行う。待ち受け状態５１１以降になると、ショートメッセージ等の着信が可能な状態となる。
【００３２】
従来は携帯電話１８のアプリケーションのロックを行うには、ＳＭＳを用いて遠隔操作を行っていた。図１０で説明した通り、ＳＭＳ通信を行うには、報知情報取得要求１００５、報知情報取得応答１００６の通信の後、セルセレクション要求１００７と応答１００８、位置登録要求１００９と応答１０１０、ページング（着信通知）１０１２と応答１０１３、データ受信１０１４、データ受信応答１０１５の処理をする必要がある。しかし、本発明の実施の形態１では、同じ処理を示す図５おいて、報知情報取得要求５０５と応答５０６までの通信によって、携帯電話１８のアプリケーションをロックをするための通信は行える。従来と比較して、セルセレクション要求１００７から位置登録応答１０１０、さらにＳＭＳのページング（着信通知）１０１２からデータ受信応答１０１５までが不要となり、メッセージのやり取りを少なくできている。よって、本発明によれば、やり取りするメッセージが少ないので電波が不安定な状態でも、遠隔操作によって携帯電話１８のアプリケーションを確実にロックすることができる。
【００３３】
図６に本発明の実施の形態１の携帯電話１８のブロック図を示す。携帯電話１８は、アンテナ６１と、無線通信部６２と、制御部６３と、メモリ６４を有する。ＩＭＥＩはメモリ６４に保持されており、制御部６３により読み出され無線通信部６２とアンテナ６１を通じて送信される。逆に、ネットワーク１５より基地局１７経由で送信されたＩＭＥＩ照合結果は、アンテナ６１と無線通信部６２により受信復調され、制御部６３に通知される。ネットワーク１５によるＩＭＥＩ照合結果が一致であれば、携帯電話１８はメモリ６４にあるプログラムによる制御部６３の動作によって予め定めたアプリケーションをロックする。照合結果が不一致であれば、携帯電話１８はアプリケーションのロックは行わない。
【００３４】
なお、図６の携帯電話１８のブロック図においては、ＩＭＥＩをメモリ６４に保持したが、例えば、ＵＩＭ（Ｕｓｅｒ  Ｉｄｅｎｔｉｆｙ  Ｍｏｄｕｌｅ）のような特定の使用者を識別する情報を有するユーザ識別モジュールに保持させてもよい。
【００３５】
図７に本発明の実施の形態１の携帯電話のＩＭＥＩをＵＩＭ内に保持した場合のブロック図を示す。携帯電話７２は、アンテナ６１と、無線通信部６２と、制御部７３と、メモリ７４と、ＵＩＭ７１を有する。ＩＭＥＩはＵＩＭ７１に保持されている。他の動作は図６の携帯電話１８と同一である。ＵＩＭ７１は携帯電話７２に内蔵しても、着脱可能にしてもよい。
【００３６】
図８に本発明の実施の形態１の無線基地局１４のブロック図を示す。無線基地局１４は、アンテナ８１と、無線受信部８５と無線送信部８６を含む無線通信部８２と、制御部８３と、通信部８４を有する。無線基地局１４は携帯電話と通信を行い、ＩＭＥＩはアンテナ８１を経由し、無線受信部８２により受信復調され制御部８３に通知され、さらに通信部８４によって、ネットワークへ通知される。また、無線基地局１４は、ＩＭＥＩの照合結果を通信部８４を経由してネットワークから取得し制御部８３から無線送信部８６を経由して、携帯電話に送信する。
【００３７】
本発明の実施の形態１の携帯電話の固有情報（ＩＭＥＩ）を使用した遠隔操作によるアプリケーションのロック方法及び携帯電話及びネットワークシステムによれば、電波状況が不安定な場所においても、従来例のＳＭＳによるアプリケーションをロックする方法と比較して、遠隔操作によるアプリケーションのロックを確実に行うことが可能である。
【００３８】
（実施の形態２）
次に実施の形態２について説明する。本発明の実施の形態２では、電波の状態が悪く携帯電話が圏外状態に陥り携帯電話とネットワークが通信できない状態においてアプリケーションをロックする方法を説明する。本発明の実施の形態２の携帯電話のネットワークのシステム図は実施の形態１で説明した図１と同一であるので省略する。
【００３９】
図９に本発明の実施の形態２の携帯電話の固有情報を使用した遠隔操作によるアプリケーションのロック方法の、圏外状態の処理フロー図を示す。また、図９は、図１におけるアプリケーションのロックを掛ける対象の携帯電話１８が、正規使用者が予め定めた時間より長く圏外状態にある場合の処理を示している。
【００４０】
まず、携帯電話１８は常に無線状態を監視しており、圏外状態を認識すると（Ｓ９１）タイマを起動させる（Ｓ９２）。なお、このタイマは正規使用者が時間設定をすることが可能である。タイマの起動後、圏外状態の継続中は（Ｓ９４）、タイマのカウントを行う。そのタイマが満了した際に（Ｓ９３）、携帯電話１８内部で予め正規使用者が指定したアプリケーションにロックをかける（Ｓ９５）。その後、圏内に移行した場合は（Ｓ９６）、実施の形態１の図４と同一のステップ４２からステップ４６、ステップ４７の処理を行う。すなわち、携帯電話１８はＩＭＥＩをネットワークへ通知し（Ｓ４２）、ネットワーク１５は通知されたＩＭＥＩとサーバ１６にて割り出したロックを掛ける対象の特定ＩＭＥＩと照合し（Ｓ４３）、ＩＭＥＩの照合結果が一致しなければ（Ｓ４４）、ネットワーク１５からＩＭＥＩの照合結果が不一致である旨を携帯電話１８へ通知し（Ｓ４７）、携帯電話１８はステップ９５でかけたアプリケーションのロックを解除する（Ｓ９７）。また、ＩＭＥＩの照合結果が一致していれば（Ｓ４４）、ネットワーク１５からＩＭＥＩの照合結果が一致である旨を携帯電話１８へ通知し（Ｓ４５）、携帯電話１８はアプリケーションのロックを継続する（Ｓ４６）。
【００４１】
本発明の実施の形態２の携帯電話１８のブロック図は実施の形態１で説明した図６と同一である。図９で説明した一連の、圏外状態が継続する時間を計測し、予め設定された時間以上に圏外状態が継続する場合に、予め定めたアプリケーションをロックする処理を、メモリ６４にあるプログラムによる制御部６３の動作によって行う。また、本発明の実施の形態２の説明は携帯電話１８にて行ったが、実施の形態１のように図７で説明した携帯電話７２についても同一である。
【００４２】
本発明の実施の形態２によれば、携帯電話がネットワークと通信ができない圏外状態においてもアプリケーションのロックすることができ、セキュリティを保つことが可能である。
【００４３】
本発明の実施の形態１と実施の形態２において、アプリケーションのロックを行う携帯電話１８と、携帯電話１８のロックを行うため端末情報を入力する情報端末１３または基地局１４または携帯電話１１若しくは携帯電話１２は遠隔地に配置されていることとしたが、近距離に配置されている場合においても、機能は同一である。
【００４４】
なお、本発明の実施の形態１と実施の形態２において、無線携帯端末装置の固有情報としてＩＭＥＩを使用した例を説明をしているが、無線携帯端末装置の特定が行えるＩＭＥＩ以外の他の固有情報を使用してもよい。
【産業上の利用可能性】
【００４５】
本発明の無線携帯端末装置の固有情報を使用した遠隔操作によるアプリケーションのロック方法及び無線携帯端末装置及びネットワークシステムによれば、電波状態が不安定であり待ち受け状態を安定して保持できない場合であっても、ネットワークが待ち受け状態に移行する前の通信にて無線携帯端末装置の固有情報を取得して、正規使用者等が情報端末又は他の無線携帯端末装置にて登録した端末情報から割り出した固有情報の照合を行い、照合結果を無線携帯端末装置に通知することによって、紛失又は盗難にあった無線携帯端末装置のアプリケーションにロックをかけセキュリティを保つことができるので、移動体通信システム、特に携帯電話システムにおいて有用である。
【図面の簡単な説明】
【００４６】
【図１】本発明の実施の形態１の携帯電話の固有情報を使用した遠隔操作によるアプリケーションをロックするネットワークのシステム図
【図２】本発明の実施の形態１の携帯電話の固有情報を使用した遠隔操作によるアプリケーションのロックと解除をするための端末情報の登録画面の図
【図３】本発明の実施の形態１のＷｅｂサイトからアプリケーションにロックをかける携帯電話の端末情報を登録する際のネットワークの処理フロー図
【図４】本発明の実施の形態１の携帯電話の固有情報を使用したアプリケーションをロックする処理フロー図
【図５】本発明の実施の形態１の携帯電話の固有情報を使用したアプリケーションをロックする処理シーケンスの概略図
【図６】本発明の実施の形態１の携帯電話のブロック図
【図７】本発明の実施の形態１のＩＭＥＩをＵＩＭに保持する携帯電話のブロック図
【図８】本発明の実施の形態１の基地局装置のブロック図
【図９】本発明の実施の形態２の携帯電話が一定時間以上圏外であった場合に携帯電話内部でアプリケーションにロックをかける処理フロー図
【図１０】従来の無線携帯端末装置とネットワークの無線接続の確立についての処理シーケンス概略図
【符号の説明】
【００４７】
１１、１２、１８    携帯電話
１３    情報端末
１４、１７    基地局
１５    ネットワーク
６３    制御部
６４    メモリ
７１    ＵＩＭ
７２    携帯電話
７３    制御部
８２    無線通信部
８３    制御部
８４    通信部
【図１】
2006222728.tif 000003
【図２】
2006222728.tif 000004
【図３】
2006222728.tif 000005
【図４】
2006222728.tif 000006
【図５】
2006222728.tif 000007
【図６】
2006222728.tif 000008
【図７】
2006222728.tif 000009
【図８】
2006222728.tif 000010
【図９】
2006222728.tif 000011
【図１０】
2006222728.tif 000012